【手続補正書】
【提出日】平成26年3月5日(2014.3.5)
【手続補正１】
【補正対象書類名】明細書
【補正対象項目名】０００７
【補正方法】変更
【補正の内容】
【０００７】
【図１】複数のシム、エンドブロックの組、構成要素を組み立てるためのボルト、及び押し出し対象の材料のための入口管継手を含む、本明細書に記載の複合層を作製するための押し出しダイ要素の組の代表的な実施形態の分解斜視図。
【図２】図１のシムの１つの平面図。
【図３】図１のシムの異なる１つの平面図。
【図４】シムの異なる反復配列を形成する４つの隣接するシムを示す、組み立てられたダイのダイスロットのセグメントの一部を切り取った斜視詳細図。
【図５】図４に示したように組み立てられたダイにより作製され、切断線はクロスウエブ方向にある、複合層の断面図。
【図５Ａ】図５の複合層に類似の複合層の断面図。
【図６】複数のシム、エンドブロックの組、構成要素を組み立てるためのボルト、及び押し出し対象の材料のための入口管継手が、マニホールド本体の中に取り付けられる、押し出しダイの代わりの代表的な実施形態の分解斜視図。
【図７】図２が図１に関連するのと同一の方法で関連する、図６のシムの１つの平面図。
【図８】図３が図１に関連するのと同一の方法で図６に関連する、図６のシムの異なる１つの平面図。
【図９】組立時の図１４の実施形態の斜視図。
【図１０】保護対象の文書を固定するためのクランプを有する、例示的なプライバシー物品の平面図。
【図１１】保護対象の文書を受け入れるためのポケットとして組み立てられた、例示的なプライバシー物品の平面図。
【図１２】ちょうつがいで取り付けられ、保護対象の多数の文書を収納することが可能な多数の並行した共押し出しシートにより組み立てられた例示的なプライバシー物品の平面図。
【図１３】単一のクレジットカードを保護するようになされた、例示的なプライバシー物品の平面図。
【図１４】多数のクレジットカードを保護するようになされ、かつ財布内に収納されるようになされた、例示的なプライバシー物品の斜視図。
【図１５】標準的なファイリングホルダー様の大きさ及び形状の例示的なプライバシー物品の平面図。
【図１６】貼り替え可能な接着剤フラグのディペンサーを支持するフランジを有する、プライバシースクリーンの平面図。
【図１７】図１６のプライバシー物品の代替の実施形態の斜視図。
【図１８】プライバシー物品の例示的な３フォールドの実施形態の斜視図。
【手続補正２】
【補正対象書類名】明細書
【補正対象項目名】００３２
【補正方法】変更
【補正の内容】
【００３２】
図５Ａを参照すると、複合層１４０’の断面図が図示されている。複合層１４０’は、材料１４２ｂ’の反復領域が層の表面により近接していることを除いて、図５の複合層１４０に類似している。これは、狭窄された通路１２２が、それほど狭窄されていないことを除いて、図４に図示したものに類似したダイにより便宜的に行われる。図５Ａによるフィルムは、複合層１４０’の露出した主要表面を例えば、カレンダー法により処理して、反復領域１４２ｂ’を歪めずに、表面をより平滑及び光学的に透明にすることができるために、例えば、プライバシーフィルムに極めて適合している。
【手続補正３】
【補正対象書類名】明細書
【補正対象項目名】００４７
【補正方法】変更
【補正の内容】
【００４７】
図５及び５Ａに概略示されるような実施形態に対する代表的な使用は、光透過部品（例えば、ライトチューブ）及びプライバシー物品を含む。所望のプライバシー効果をもたらすためには、第１及び第２の区域の一方は典型的には透明であり、他の区域は非透明である。透明とは、観察者が助けを借りずに人間の眼によりそれぞれの区域から下地材料を読みとることが可能なほど充分にそれぞれの区域が可視光に対して透過性であるという意味である。他の非透明な区域は、半透明又は更に好ましくは不透明である（すなわち、観察者が助けを借りずにそれぞれの区域から人間の眼により下地材料を読みとるにはそれぞれの区域が可視光に対して不充分な透過性しか持たない）。
【手続補正４】
【補正対象書類名】明細書
【補正対象項目名】００４８
【補正方法】変更
【補正の内容】
【００４８】
図５及び５Ａに概略示されるような実施形態に対する代表的な使用としては、文書のプライバシー物品又はシールド、２つの異なる接着材料を有する構造体、及び光の透過を調整するように構成された光学フィルムである、光コリメーティングフィルムとしても知られているライトコントロールフィルムが挙げられる。光コントロールフィルムは、典型的には、光吸収材料から形成されている、複数の平行な溝を有する光透過性フィルムを含む。光コントロールフィルムは、表示表面、像表面、又は視られる他の表面に近接して設置できる。典型的には、画像は、視認する人がフィルム表面に対して垂直な方向で光コントロールフィルムを通して画像を見る垂直入射（すなわち、視野角０度）では、視認可能である。視野角が増加するにつれて、光コントロールフィルムから透過される画像の光の量は、実質的に全ての画像光が光吸収材料により遮断される、視野カットオフ角に達するまで減少し、画像はもはや視認不能となる。これは、視野角の典型的範囲の外側にいる他者による観察を遮断することによって、視認者にプライバシーを提供することができる。視野角は、透明な区域の２つの異なる長さで透明な区域を有することにより更に改善可能である。透明な区域の２つの長さの結果として、視野カットオフ角度は、２つの異なる角度で見られる。
【手続補正５】
【補正対象書類名】明細書
【補正対象項目名】００７０
【補正方法】変更
【補正の内容】
【００７０】
８．上記第２の接着材料が第２の剥離を有する、代表的な実施形態７の複合層。
【手続補正６】
【補正対象書類名】特許請求の範囲
【補正対象項目名】全文
【補正方法】変更
【補正の内容】
【特許請求の範囲】
【請求項１】
それぞれが第２のポリマー材料中に封入された第１のポリマー材料から構成される複数の縦方向の概ね平行な第１の区域を含み、１ｃｍ当たり少なくとも１０の縦方向の第１の区域が存在する、複合層。
【請求項２】
それぞれの第１の区域が、１ｍｍを超えない縦方向に垂直な最大寸法を有する、請求項１に記載の複合層。
【請求項３】
それぞれの第１の区域が中心点を有し、第２の区域により隔てられた２つの中心点の間に長さが存在し、前記長さの平均が存在し、前記第２の区域により隔てられた２つの中心点の間の長さが、前記長さの平均の２０パーセント以内である、請求項１又は２に記載の複合層。
【請求項４】
複合層であって、
それぞれが第２のポリマー材料中に封入された第１のポリマー材料から構成される、第１の、複数の縦方向の概ね平行な第１の区域であって、１ｃｍ当たり少なくとも１０の縦方向の第１の区域が存在し、それぞれの第１の区域が中心点を有し、第２の区域により隔てられた２つの中心点の間に長さが存在し、かつ前記長さの平均が存在する、第１の、複数の縦方向の概ね平行な第１の区域、及び
それぞれが第２のポリマー材料中に封入された第１のポリマー材料から構成される、第２の、複数の縦方向の概ね平行な第１の区域であって、１ｃｍ当たり少なくとも１０の縦方向の第１の区域が存在し、第２の区域により隔てられた２つの中心点の間に長さが存在し、かつ前記長さの平均が存在する、第２の、複数の縦方向の概ね平行な第１の区域、
を含み、
前記複合層についての、第２の区域により隔てられた２つの中心点の間の平均長さが存在し、該平均長さは、前記第１及び第２の複数の区域についての、第２の区域により隔てられた２つの中心点の間の平均長さの、平均値であり、前記第１又は第２のポリマー材料を含む第３の区域が存在し、該区域は、前記第１及び第２の複数の区域を隔てており、前記の複合層についての、第２の区域により隔てられた２つの中心点の間の平均長さよりも大きな幅を有するものである、
複合層。
【請求項５】
それぞれの第１の区域が、１ｍｍを超えない縦方向に垂直な最大寸法を有する、請求項４に記載の複合層。
【請求項６】
前記第２の区域により隔てられた２つの中心点の間の長さが、前記複合層についての、第２の区域により隔てられた２つの中心点の間の前記長さの平均の、２０パーセント以内である、請求項４又は５に記載の複合層。
【手続補正７】
【補正対象書類名】図面
【補正対象項目名】図５Ｂ
【補正方法】削除
【補正の内容】
【手続補正８】
【補正対象書類名】図面
【補正対象項目名】図５Ａ
【補正方法】追加
【補正の内容】
【図５Ａ】
2013523485.tif 000001